(57)【要約】  除染装置を備えたドアマットが、除塵ブラシ毛または他の同様な構造体を含み、かつ基部の一部を占める除塵部分がその上に付着され、それと共に各シート要素が引き剥がし可能な、お互いに重なり合うシート要素のブロックによって構成される除染装置を受け入れるように適応される支持ゾーンを空いたままにする、基部を備える。【選択図】図７
2018520711.tif 000002
【特許請求の範囲】
【請求項１】
基部（２）の一部を占めるブラシ毛または他の同様な除塵構造体を備えている除塵部分（３）を備え、それと共にお互いに重なり合うシート要素（７）のブロックによって構成される除染装置（５）を受け入れるように適応される支持ゾーン（４）を空いたままにしておく、前記基部（２）を備える除染装置を備えたドアマット（１）であって；各シート要素（７）が引き剥がし可能であり、各前記シート要素（７）が、前記シート要素の引き剥がしを促進するように適応される舌部部分を備え、かつその上に、ユーザにまだ利用可能である前記殺菌シート要素（７）の枚数を示すように適応される累進的な数が示されることを特徴とするドアマット。
【請求項２】
各前記シート要素（７）が、静菌剤および殺菌剤によって含浸されるフィルムによって構成されることを特徴とする請求項１に記載のドアマット。
【請求項３】
シート要素（７）の前記ブロックが、底部フィルム（８）および最上部保護フィルム（９）を備えることを特徴とする請求項１に記載のドアマット。
【請求項４】
前記除塵部分（３）が、前記基部（２）に着脱自在に結合されることを特徴とする請求項１に記載のドアマット。
【請求項５】
前記除塵部分（３）が、スナップ（６）を用いて前記基部（２）に結合されることを特徴とする請求項１に記載のドアマット。
【請求項６】
前記基部（２）が、ゴム材料でできていることを特徴とする請求項１に記載のドアマット。
【請求項７】
前記除塵部分（３）が、マイクロファイバー材料でできていることを特徴とする請求項１に記載のドアマット。
【請求項８】
前記ドアマットが、装飾的要素を備えることを特徴とする請求項１に記載のドアマット。
【請求項９】
前記ブラシ毛除塵部分を構成する前記基部が、前記ドアマットの一体化している入口部分を形成し、および前記シート要素ブロックが前記ドアマットの出口部分の全部または一部を覆うシート要素ブロックであることを特徴とする請求項１に記載のドアマット。
【発明の詳細な説明】
【技術分野】
【０００１】
本発明は、靴底を除染するための装置を含むドアマットに関する。
【背景技術】
【０００２】
周知のように、靴底は、屋外環境および屋内環境の両方において、任意の表面上に存在する異なる種類の微生物によって容易に汚染される。
【０００３】
汚染の最も一般的な事例は、明らかに、道路上で生じたこの汚染が家庭のおよび公共の両方の居住環境内に容易に移されることである。
【０００４】
一般的なドアマットは、粗い汚れを除去するために設計されているが、靴表底または靴底によって収集される細菌負荷を除去することが可能でない。
【０００５】
特許文献１が、請求項１の前文を実質的に開示する。
【先行技術文献】
【特許文献】
【０００６】
【特許文献１】国際公開第２００５／０８４５１９号
【発明の概要】
【発明が解決しようとする課題】
【０００７】
本発明の目的は、靴底上の汚染を除去するかまたは実質的に減少させるように適応される除染装置を含むドアマットを提供することである。
【０００８】
上述した目的の範囲内で、本発明の主目的は、任意のユーザによって簡単に使うことができるようなドアマットを提供することである。
【０００９】
本発明の別の目的は、家庭のおよび公共の両方の環境において使用されることができる用途が広いドアマットを提供することである。
【００１０】
本発明のさらに別の目的は、そのとりわけ設計された製作特性のために、作動中に非常に信頼性が高くかつ安全であるようなドアマットを提供することである。
【課題を解決するための手段】
【００１１】
上記の言及された目的および目的物、同じくさらに他の目的物が以下により明白になり、請求項１に記載の除染装置を含むドアマットによって達成される。
【００１２】
本発明の更なる特性および利点が、添付の図面内に示すが限定しない例として例示される、本発明の好ましいが排他的でない実施態様の以下の開示から以下により明白になる。
【図面の簡単な説明】
【００１３】
【図１】本発明に従う、除染装置を含むドアマットの斜視図である。
【図２】ドアマット基部から分離される除染装置と共に示されるドアマットの部分的分解斜視図である。
【図３】図２に類似した更なる斜視図であり、除染装置の底部部分に配置される最後のシートを除去するための除去ステップを示す。
【図４】除染装置を基部支持ゾーンに付着するステップを示す。
【図５】最上部保護シートを除去する除去ステップを示す。
【図６】靴表底または靴底を除塵するためのドアマットの使用を示す。
【図７】除染装置の活性シート上で靴底を除染するための主題ドアマットの使用を示す。
【図８】使用済みのシートを除去する除去ステップを示す。
【図９】最初のブロックを使い果たした後に基部に付着されるべき新規の除染装置の底部部分に配置される最後のシートを除去する更なる除去ステップを示す。
【図１０】基部支持ゾーンに新規の除染装置を付着する付着ステップを示す。
【図１１】最上部保護シートを除去する更なる除去ステップを示す。
【図１２】除塵部分を洗浄するために基部から除去するさらにもう一つの除去ステップを示す。
【図１３】洗浄された除塵部分をドアマット基部に付着する付着ステップを示す。
【発明を実施するための形態】
【００１４】
上述した図の番号参照符を参照して、参照番号１によって全体として示される、本発明に従う除染装置を含むドアマットが、除塵部分３が付着される基部２を備え、前記除塵部分が基部２の一部を占める複数のブラシ毛または他の同様な要素を含み、それと共に支持ゾーン４を、参照番号５によって全体として示される除染装置を受け入れるように適応されるよう空いたままにしておく。
【００１５】
除塵部分３は有利には、スナップ６、または適切であるとみなされる他の着脱可能な貼着系を用いて基部２と結合される。
【００１６】
基部２は、好ましくはゴム材料でできており、一方、除塵部分は有利にはマイクロファイバー材料でできているが、それはさらに植物繊維または他の天然もしくは合成繊維のようなその他の材料でできていることもできる。
【００１７】
除染装置５は、お互いに重なり合う複数のシート要素７からなるブロックを備える。
【００１８】
シート要素７は例えば、静菌剤および殺菌剤によって含浸されるポリエチレンフィルムによって構成されることができる。
【００１９】
シート要素７のブロックは、底部フィルム８および最上部保護フィルム９を備える。
【００２０】
各前記シート要素７は、引き剥がしを促進するように適応されるシート縁部を備え、かつその上にシートそれ自体の枚数を示すことができる。
【００２１】
実際、有利には、それはシート要素を数えるために設けられ、それによってユーザにまだ利用可能な、残っている殺菌シート要素の枚数を示す。
【００２２】
ドアマットは、さらに任意の所望のタイプの装飾的要素を備えることもできる。
【００２３】
本発明に従うドアマットの使用は、次の通りである。
【００２４】
主題ドアマットは、除染されて維持されるべき環境の入口に、例えば家庭戸口に配置されることができる。
【００２５】
基部２上に除染装置５を付着する前に、除染装置を構成するシート要素ブロックの底部部分に配置される最後のシート要素が、図３内に示されるように除去される。
【００２６】
次に、装置５は、図４内に示されるように、前記装置をゴム基部それ自体に完全に接着させることによって、支持ゾーン４で基部２に付着される。
【００２７】
ドアマットを使用する前に、図５に示すように、保護最上部シート要素が除去される。
【００２８】
主題ドアマットの適正使用は、最初は靴底が除塵部分３上で除塵され（図６）、そして次に、前記靴底が、それらを装置５の露出したシート要素上に移させることによって除染される（図７）ことをもたらす。
【００２９】
除染装置５は、複数の接着シート、例えば３０枚の接着シートを備える。
【００３０】
露出したシート要素が使い果たされると、前記シート要素は引き剥がされて廃棄され（図８）、一方、同じ除染機能をもたらすためにしかるべく準備のできている次に続くシート要素を露出したままにする。
【００３１】
適切な番号をつけられた舌部が、残っている除染シート要素の枚数を確認するのを可能にすると共に、使用済みのシート要素の除去を促進するために設けられる。
【００３２】
全ての接着シート要素を使用した後に、最後のシート要素が支持基部２から引き剥がされ、および新規の装置５が次いで、図９内に示されるように、装置それ自体を構成するシートブロックの底部部分に配置される最後のシート要素を除去した後に、付着される。
【００３３】
次に、図１０に示すように、新規の装置５が、前記装置をゴム基部それ自体に完全に接着させることによって、支持ゾーン４で基部２に付着される。
【００３４】
主題ドアマットを使用する前に、図１１に示すように、保護最上部シート要素が除去される。
【００３５】
求められるたびに除塵部分３を洗浄することが可能であることは明白であるべきである。
【００３６】
そのために、図１２に示すように、除塵部分３は、スナップ要素６により、基部２から取り外されてかつ洗浄機にかけられる。
【００３７】
洗浄された後に、スナップ要素６を用いてそれを係止することによって、除塵部分３が基部２に容易にかつ迅速に再配置されることができる。
【００３８】
前記除塵部分が使い古された時、除塵部分３を新規のものと交換することが可能であることは明白であるべきである。
【００３９】
より安価な変形例では、本発明に従うドアマットは、着脱可能な除塵部分３のない「入口」ブラシ毛付きドアマット部分によって構成されることができる、すなわち、ドアマットのブラシ毛付き部分が、ユーザが前記ブラシ毛によって彼の／彼女の靴底の開始除塵を実施することができるドアマットの開始部分を構成し、一方、抗菌性シートブロックが残りの幅全て、すなわちドアマットの出口幅を覆うフィルムの単一ブロックであることができるか、またはユーザの各靴の靴底を除染するために各々用意されている、部分的シート要素の少なくとも２つのブロックを備えることができる。
【００４０】
本発明が意図された目的および目的物を完全に達成することが分かった。
【００４１】
実際、本発明は、従来のドアマットとして使用されることができるが、最適の抗菌作用をもたらす効率的な除染装置を含むドアマットを提供している。
【００４２】
本発明に従う除染装置を含むドアマットは、最適の除塵特性および衛生特性を提供することによって、細菌およびバクテリアから任意の種類の環境を除染することを可能にする。
【００４３】
本発明を実施する際に、使用される材料、同じく付随するサイズおよび形状は、要求に従い、いずれででもあることができる。
【符号の説明】
【００４４】
１  ドアマット
２  基部
３  除塵部分
４  支持ゾーン
５  除染装置
６  スナップ
７  シート要素
８  底部フィルム
９  最上部保護フィルム
【図１】
2018520711.tif 000003
【図２】
2018520711.tif 000004
【図３】
2018520711.tif 000005
【図４】
2018520711.tif 000006
【図５】
2018520711.tif 000007
【図６】
2018520711.tif 000008
【図７】
2018520711.tif 000009
【図８】
2018520711.tif 000010
【図９】
2018520711.tif 000011
【図１０】
2018520711.tif 000012
【図１１】
2018520711.tif 000013
【図１２】
2018520711.tif 000014
【図１３】
2018520711.tif 000015
【国際調査報告】
2018520711.tif 000016
2018520711.tif 000017